(57)【要約】【課題】従来の装置では、雨樋の内側にヒータを設置しているものの、このヒータは雨樋内の空気を暖めることを目的としているので、雨樋そのものを十分に温めることができず、従って、ヒータに通電したとしても雨樋の外底面に形成されるつららを有効に防止することができない。【解決手段】金属製のパイプ状のケーシングとこのケーシングに収納されてケーシングを温めるヒータとを備え、このケーシングの外部に、上記雨樋の内底面に接する脚部を、ケーシングの長手方向に沿って連続して形成した。【選択図】  図３
2015040375.tif 000002
【特許請求の範囲】
【請求項１】
軒下に略水平に設置された雨樋の外底面につららが形成されることを防止するつらら防止装置において、金属製のパイプ状のケーシングとこのケーシングに収納されてケーシングを温めるヒータとを備え、このケーシングの外部に、上記雨樋の内底面に接する脚部を、ケーシングの長手方向に沿って連続して形成したことを特徴とするつらら防止装置。
【請求項２】
上記ケーシングの少なくとも一方の端部には、その端部に螺合して端部を閉鎖するキャップ状の蓋部材が設けられており、上記脚部はこの蓋部材が雨樋の内底面に接しない脚長に形成されていることを特徴とする請求項1に記載のつらら防止装置。
【請求項３】
上記ヒータは、上記脚部が形成されている部分に内面からケーシングに接するように、ケーシング内に収納されていることを特徴とする請求項１または請求項２に記載のつらら防止装置。
【発明の詳細な説明】
【技術分野】
【０００１】
本発明は、雨樋の外底面でのつららの発生を防止するつらら防止装置に関する。
【背景技術】
【０００２】
軒先につららが形成されると、成長したつららが落下して危険であるなどの不具合が生じる。そのため、従来より多数のつらら防止装置が提案されてきた。
【０００３】
それら従来のつらら防止装置として、例えば、屋根から軒下の雨樋に至る部分を板材で覆い、屋根から流れてきた雪解け水などを外気で冷やされることなく雨樋内に流れ落ちるようにしたものが提案されている（例えば、特許文献１参照）。このものではその板材で覆われた空間内の空気を暖めるために、雨樋の内底面上にヒータを設置している。
【先行技術文献】
【特許文献】
【０００４】
【特許文献１】特開２００８−１６９６２９号公報（段落０００９、図１、図２）
【発明の概要】
【発明が解決しようとする課題】
【０００５】
上記従来の装置では、雨樋が設置されていない屋根の軒先につららが形成されないようにするための装置で有り、そのため、上記装置を設置する際には雨樋を含めた装置全体を新たに設置しなければならいので、費用が高くなる。また、すでに雨樋が設置されている家屋ではその雨樋を撤去したあとに上記装置を設置する必要があり、更に費用が高くなる。また、上記従来の装置では、屋根から雨樋へ流れる水が凍ってつららにならないようにすることを目的としているので、雨樋の外面を伝って流れた水によって雨樋の外底面に形成されるつららについては何ら考慮されていない。
【０００６】
なお、上記従来の装置では、雨樋の内側にヒータを設置しているものの、このヒータは雨樋内の空気を暖めることを目的としているので、雨樋そのものを十分に温めることができず、従って、ヒータに通電したとしても雨樋の外底面に形成されるつららを有効に防止することができない。
【０００７】
そこで本発明は、上記の問題点に鑑み、既存の雨樋の外底面に形成されるつららを安価に防止することのできるつらら防止装置を提供することを課題とする。
【課題を解決するための手段】
【０００８】
上記課題を解決するために本発明によるつらら防止装置は、軒下に略水平に設置された雨樋の外底面につららが形成されることを防止するつらら防止装置において、金属製のパイプ状のケーシングとこのケーシングに収納されてケーシングを温めるヒータとを備え、このケーシングの外部に、上記雨樋の内底面に接する脚部を、ケーシングの長手方向に沿って連続して形成したことを特徴とする。
【０００９】
ケーシングに収納されたヒータをそのまま雨樋内に設置しても、ケーシングと雨樋の内底面とが接触しづらく、そのため、ヒータによって加熱されたケーシングから雨樋の内底面に対して十分に熱を伝達できないが、上記構成ではケーシングに脚部を設けたので、その脚部を介してケーシングから雨戸に熱を伝達することができる。
【００１０】
なお、上記ケーシングの少なくとも一方の端部には、その端部に螺合して端部を閉鎖するキャップ状の蓋部材が設けられている場合には、キャップが雨樋の内底面に接すると、ケーシングの他の部分が雨樋の内底面から浮き、熱を伝達できなくなる。そこで、上記脚部はこの蓋部材が雨樋の内底面に接しない脚長に形成されていることが望ましい。
【００１１】
また、上記ヒータは、上記脚部が形成されている部分に内面からケーシングに接するように、ケーシング内に収納されていれば、熱がケーシング全体に伝導されて放熱される前に脚部に伝導することができるので、ヒータで発生した熱を効率よく脚部から雨樋へと伝達することができる。
【発明の効果】
【００１２】
以上の説明から明らかなように、本発明は、既存の雨樋の内部に上記ケーシングに収納されたヒータを設置するだけで、雨樋の外底面でのつららの発生を防止することができる。
【図面の簡単な説明】
【００１３】
【図１】本発明の一実施の形態の構成を示す図
【図２】ヒータ部の詳細を示す図
【図３】ヒータ部を雨樋に設置した状態を示す断面図
【図４】角形の雨樋にヒータ部を設置した状態を示す断面図
【発明を実施するための形態】
【００１４】
図１を参照して、１は本発明が適用される雨樋である。この雨樋は家屋の屋根Ｒの軒下にほぼ水平状態に設置されており、屋根Ｒの上面を伝って流れ落ちてくる雨水などを受けて、下方の排水口へと導くものである。冬季には屋根Ｒ上には雪が積もり、その積もった雪が下方に滑って雨樋１に受けられる。すると、雨樋１内が雪で塞がれ、溶けた水が下方へと導かれずに雨樋１から溢れる場合が生じる。すると、その溢れた水が雨樋１の外周面を伝って流れ、雨樋１の外底面につららが形成される場合が生じる。
【００１５】
このような雨樋１の外底面につららが形成されることを防止するため、雨樋１内に本発明によるつらら防止装置の要部であるヒータ部２を設置することとした。
【００１６】
図２及び図３を参照して、このヒータ部２はステンレス製のパイプ状のケーシング３の中に１対のヒータ４を挿入している。ケーシング３の両端部にはネジ部が形成されており、それらネジ部には先端キャップ３１と基端キャップ３２とが螺合されている。先端キャップ３１は袋状で有り、ケーシング３の先端に先端キャップ３１を螺合させることにより、ケーシング３の先端は水密状態に閉鎖されることになる。一方、基端キャップ３２には電力を供給するためのコード４０が水密性を確保した状態で挿通されている。
【００１７】
このコード４０は内部の１対のヒータ４に接続されており、コード４０を介して供給される電力によってヒータ４が発熱するように構成されている。ただし、コード４０とヒータ４との間には、７６℃で溶断する温度ヒューズ４２と１０℃でオフになるサーモスタット４３とを直列に接続した。そのため、コード４０を常に電源に接続していても、外気温が１０℃近くまで上昇してくると、自動的にサーモスタット４３がオフになってヒータ４への電力供給が遮断される。また、仮にサーモスタット４３が故障したとしても、ヒータ４の温度が７６℃まで上昇すると温度ヒューズ４２が溶断してヒータ４への電力供給が遮断されるようにした。なお、温度ヒューズ４２の溶断温度を７６℃に設定したことにより、ヒータ部２を雨樋１内に設置すれば、そのまま夏場を越えて設置したままでも温度ヒューズ４２が夏場の高温の気温によって意図せず溶断することを防止できる。
【００１８】
ケーシング３には１対の脚部３３が設けられている。一方、ヒータ４は発泡性であり保温材として機能する保持部材４１によってケーシング３の内周面に押し付けられるように保持されているが、その保持されている位置は、図３に示すように、脚部３３が形成されている位置に一致するように設定されている。このため、ヒータ４で発生した熱は主にケーシング３に伝達されるが、伝達された熱の多くが脚部３３へと伝導されるようにした。
【００１９】
脚部３３の端部３４は雨樋１の内周面に沿うように内側に向かって湾曲している。このように湾曲させることにより、脚部３３の端部３４が広い面積で雨樋１の内底面に接触し、その結果、端部３４から雨樋１に均一に熱が伝達されるようにした。なお、端部３４が雨樋１の内底面に接触する状態で、先端キャップ３１及び基端キャップ３２の双方共に、雨樋１の内底面から浮き上がるように、脚部３３の脚長を設定した。
【００２０】
なお、端部３４は内側に向かって曲がっているので、両脚部３３に囲まれた空間Ｓが形成される。この空間Ｓは外部に対して両端を除いて閉塞されるので、空間Ｓ内の空気が暖められても外部に流れ出ることが少なく、雨樋１の底部を加熱する補助となるようにした。また、落ち葉などのゴミが空間Ｓ内に入り込まないようにする効果も期待できる。
【００２１】
ところで、ヒータ部２が雨樋１の内底面から浮き上がらないように押さえ金具５を設けて脚部３３の端部３４が長手方向全域にわたって雨樋１に密着するようにした。この押さえ金具５はネジ５１を右方向に回すと押さえ部５２が下降してヒータ部２を押し下げるが、押さえ部５２とケーシング３との間に保温性を有する発泡シート５３を挟み、ケーシング３の上面の保温を行って、ケーシング３から空気中への放熱を防止するようにした。
【００２２】
なお、雨樋１は図３に示したような半円筒形状のほか、図４に示す角形のものも存在する。このような角形の雨樋１にヒータ部２を設置する際には、脚部３３の端部３４を角形の雨樋１に対応させてフラットに形成したヒータ部２を別途用意してもよいが、図４に示すように、半円状の雨樋１に合わせて形成した脚部３３に長尺のアダプタプレート６を取り付けて対応するようにしてもよい。このようにアダプタプレート６を用いればヒータ部２の形状は１種類で良いので、量産効果によりヒータ部２の製造コストを下げることができる。なお、図４では押さえ金具の描画を省略しているが、図３に示したものと同様に、図４に示す場合も適宜押さえ金具を用いることが望ましい。
【００２３】
なお、本発明は上記した形態に限定されるものではなく、本発明の要旨を逸脱しない範囲内において種々の変更を加えてもかまわない。
【符号の説明】
【００２４】
１  雨樋
２  ヒータ部
３  ケーシング
４  ヒータ
３３  脚部
３４  端部
４１  保持部材
Ｒ  屋根
【図１】
2015040375.tif 000003
【図２】
2015040375.tif 000004
【図３】
2015040375.tif 000005
【図４】
2015040375.tif 000006